(57)【要約】【課題】従来、ダム式等の大規模な水力発電は良く知られているが、家庭用までを視野に入れた比較的小規模、簡略な水力発電はあまり関心を持たれたことがなく、最近になって、ようやく提案されはじめたような状態で、構成面、コスト面を含めて広く実用に適合できるようなものは未だに提供されていない課題があった。【解決手段】フロート筐体１に、原動軸２の回転で発電する発電機３と動力伝達機構５を内装すると共に、前記フロート筐体１の下面に固設した軸受６に水車４の回転軸８を枢架して、前記水車４の回転軸８と前記動力伝達機構５を連結してなり、流水７中若しくは流水の沿岸１２に設置した固定点９に前記フロート筐体１を係留して流水７に浮遊せしめ、流水エネルギーで前記水車４を回転し、その回転動力を前記動力伝達機構５を介して発電機３の原動軸２に伝達回転して発電するように備えた本流水浮遊式水力発電装置Ａによって課題を解決した。【選択図】図１
2013185581.tif 000002
【特許請求の範囲】
【請求項１】
常時水面浮上を維持する浮力を備えたフロート筐体に、原動軸の回転で発電する発電機と後記水車の回転動力を前記原動軸に伝達する動力伝達機構を内装すると共に、前記フロート筐体の下面に固設した軸受に流水エネルギーで回転する水車の回転軸を枢架して、前記水車を常時水中に位置するように備え、前記水車の回転軸と前記動力伝達機構を連結してなり、
流水中若しくは流水の沿岸に設置した固定点に前記フロート筐体を係留して流水に浮遊せしめ、流水エネルギーで前記水車を回転し、その回転動力を前記動力伝達機構を介して発電機の原動軸に伝達回転して発電するように備えたことを特徴とする、
流水浮遊式水力発電装置。
【請求項２】
上記の流水浮遊式水力発電装置において、前記動力伝達機構は、ギャ機構、プーリー・ベルト機構、フレキシブルシャフト機構、若しくは、それらを組合せた機構からなるものであるあることを特徴とする、
請求項１の流水浮遊式水力発電装置。
【請求項３】
上記の流水浮遊式水力発電装置において、前記フロート筐体を、流水中若しくは流水の沿岸に設置した固定点に係留するように備えたものであり、その係留手段はフック、ロープ、ワイヤーロープ、チェーン、若しくは、それらの組合せたものであることを特徴とする、
請求項１の流水浮遊式水力発電装置。
【発明の詳細な説明】
【技術分野】
【０００１】本発明は、主として、一般家庭用を初めとする比較的小規模な発電を極めて簡明な手段で行うことを目的とした流水浮遊式水力発電装置に係り、流水即ち水の流れが存在すれば、装置の大小、装置の台数、発電量等に相違があるとしても、発電することが可能な流水浮遊式水力発電装置を提供するものであり、前記流水は、大小の河川は無論、流れのある人口若しくは自然の小川、用水路、田圃の分流水、掘割、側溝、その他の小さな流水でも可能であり、その流水の水量、流速が大であれば更に有効であることを特徴とするものである。
【背景技術】
【０００２】近時の原子力発電所の事故や化石燃料価格の世界的な高騰などに関連して、自然エネルギーの有効利用が急務の課題とされつつある。
一方、水力発電としては、ダム式等の大規模な水力発電は良く知られているが、家庭用までを視野に入れた比較的小規模で簡略な水力発電はあまり関心を持たれたことがなく、極く近時になって、ようやく提案されはじめたような状態である。【０００３】本発明は自然エネルギーの有効利用発電の一である水力利用発電に係るものであるが、前記従来の水力発電のような大規模な装置ではなく、太陽光発電パネルなどと同様に、一般家庭用を初めとする比較的小規模な発電を、極めて簡明な手段で行うことを目的とした、流水浮遊式水力発電装置に係り、流水即ち水の流れが存在すれば、装置の大小、装置の台数、発電量等に相違があるとしても、発電可能な流水浮遊式水力発電装置を提供するものである。
【先行技術文献】
【特許文献】
【０００４】
【特許文献１】特開２０１１−１９０７９２
【発明の概要】
【発明が解決しようとする課題】
【０００５】従来、ダム式等の大規模な水力発電は良く知られているが、家庭用までを視野に入れた比較的小規模、簡略な水力発電はあまり関心を持たれたことがなく、最近になって、ようやく提案されはじめたような状態で、構成面、コスト面を含めて広く実用に適合できるようなものは未だに提供されていない課題があった。
【課題を解決するための手段】
【０００６】請求項１の発明は、常時水面浮上を維持する浮力を備えたフロート筐体に、原動軸の回転で発電する発電機と後記水車の回転動力を前記原動軸に伝達する動力伝達機構を内装すると共に、前記フロート筐体の下面に固設した軸受に流水エネルギーで回転する水車の回転軸を枢架して、前記水車を常時水中に位置するように備え、前記水車の回転軸と前記動力伝達機構を連結してなり、
流水中若しくは流水の沿岸に設置した固定点に前記フロート筐体を係留して流水に浮遊せしめ、流水エネルギーで前記水車を回転し、その回転動力を前記動力伝達機構を介して発電機の原動軸に伝達回転して発電するように備えたことを特徴とする流水浮遊式水力発電装置によって課題を解決したものである。【０００７】請求項２の発明は、上記の流水浮遊式水力発電装置において、前記動力伝達機構は、ギャ機構、プーリー・ベルト機構、フレキシブルシャフト機構、若しくは、それらの組合せからなるものである、請求項１の流水浮遊式水力発電装置によって課題を解決したものである。【０００８】請求項３の発明は、上記の流水浮遊式水力発電装置において、前記フロート筐体を、流水中若しくは流水の沿岸に設置した固定点に係留するように備えたものであり、その係留手段はフック、ロープ、ワイヤーロープ、チェーン、若しくは、それらの組合せたものであることを特徴とする請求項１の流水浮遊式水力発電装置によって課題を解決したものである。
【発明の効果】
【０００９】従来のこの種水力発電装置は、流水があれば何処にでもというわけにはゆかず、河川の大小、川幅の選択、調整、水流の落差の選択、人工的形成等、水力発電装置の構成ばかりでなく、その設置、取付けの場所的、機械的設計等が容易でなかったが、その点、本発明流水浮遊式水力発電装置は、流水即ち水の流れが存在すれば、装置の大小、装置の台数、発電量等に相違があるとしても、大小の河川は無論、流れのある人口若しくは自然の小川、用水路、田圃の分流水、掘割、側溝、その他の小さな流水等に設置して発電することが可能であり、流水の水量、流速が大であれば更に有効に発電し得る極めて優れた特徴がある。【００１０】フロート筐体を常に水面浮上して浮遊するように備えたので、フロート筐体が水河川等の流水の大小、流れの強さ、水量の増減、流れ等の変動等にシンクロして自由自在に従動し、常時発電を継続することができる効果がある。【００１１】流水エネルギーで回転する水車を、フロート筐体の下面に常時水中に位置するように備えたので、該水車は、水に流れがある限り必然的に回転して発電することができる特徴がある。【００１２】フロート筐体を固定点に適宜の係留手段、例えば、フック、ロープ、ワイヤーロープ、チェーン、若しくは、それらを組合せた手段等で係留するだけで極めて簡単に設置することができる特徴がある。【００１３】本発明流水浮遊式水力発電装置の設置の仕方は場合に応じて選択自在であり、例えば、単体で設置する他、複数台を縦列若しくは横列に設置することなどを自在に行える利点がある。
【図面の簡単な説明】
【００１４】
【図１】図１は、本発明の実施例の構成概略を示す図である。（実施例１）
【図２】図２は流水に本発明装置を設置した状態を示す図で、（イ）は単独で設置した状態を示す図、（ロ）は複数台を縦列に設置した状態を示す図、（ハ）は複数台を横列に設置した状態を示す図である。
【発明を実施するための形態】
【００１５】フロート筐体に、原動軸の回転で発電する発電機と動力伝達機構を内装すると共に、フロート筐体の下面に固設した軸受に流水エネルギーで回転する水車の回転軸を枢架して、該水車の回転軸と前記動力伝達機構を連結して流水浮遊式水力発電装置を設け、該装置を流水中若しくは流水の沿岸に設置した固定点にフロート筐体を係留して流水に浮遊せしめ、流水エネルギーで水車を回転し、その回転動力を動力伝達機構を介して発電機の原動軸に伝達回転して発電するように備える。
【実施例１】
【００１６】図１は、本発明の実施例の構成概略を示す図である。
図２は流水に本発明装置を設置した状態を示す図で、（イ）は単独で設置した状態を示す図、（ロ）は複数台を縦列に設置した状態を示す図、（ハ）は複数台を横列に設置した状態を示す図である。【００１７】符号  Ａは本発明流水浮遊式水力発電装置、１はフロート筐体、２は原動軸（発電機）、３は発電機、４は水車、５は動力伝達機構、６は軸受（水車）、７は流水、８は回転軸（水車）、９は固定点、１０はプーリー・ベルト機構、１１はフレキシブルシャフト機構、１２は流水の沿岸、１３はフック、１４はワイヤーロープである。【００１８】本流水浮遊式水力発電装置Ａは、常時水面浮上を維持する浮力を備えたフロート筐体１に、原動軸２の回転で発電する発電機３と後記水車４の回転動力を前記原動軸２に伝達する動力伝達機構５を内装すると共に、前記フロート筐体１の下面に固設した軸受６に流水７のエネルギーで回転する水車４の回転軸８を枢架して前記水車４を常時水中に位置するように備え、前記水車４の回転軸８と前記動力伝達機構５を連結してなり、【００１９】例えば、図２に示すように、流水７中若しくは流水の沿岸１２に設置した固定点９に前記フロート筐体１を係留して流水７に浮遊せしめ、流水エネルギーで前記水車４を回転し、その回転動力を前記動力伝達機構５を介して発電機３の原動軸２に伝達回転して発電するように備えたものである。【００２０】前記動力伝達機構５は、ギャ機構、プーリー・ベルト機構１０、フレキシブルシャフト機構１１、若しくは、それらの組合せからなるものである。【００２１】また、前記フロート筐体１を、例えば、図２に示すように、流水７中若しくは流水の沿岸１２に設置した固定点９に係留するように備えたものであり、その係留手段は、例えば、フック１３、ロープ、ワイヤーロープ１４、チェーン、若しくは、それらの組合せたものである。
【産業上の利用可能性】
【００２２】本発明装置は、流水の状態、発電の目的等に対応して、例えば、家庭用等の小規模（小型）のものから業務用等の大型のものまで、また、単独（１台）、複数台から多数台まで、汎用的に実施可能な特徴を備えたものである。
【符号の説明】
【００２３】Ａ  本発明流水浮遊式水力発電装置
１  フロート筐体
２  原動軸（発電機）
３  発電機
４  水車
５  動力伝達機構
６  軸受（水車）
７  流水
８  回転軸（水車）
９  固定点
１０  プーリー・ベルト機構１１、
１１  フレキシブルシャフト機構
１２  流水の沿岸
１３  フック
１４  ワイヤーロープ
【図１】
2013185581.tif 000003
【図２】
2013185581.tif 000004